(57)【要約】      （修正有）【課題】工具ビットの駆動モードを切り替えることができる打撃工具において、モータの通電制御に関する合理的なスイッチ構造を構成するのに有効な技術を提供する。【解決手段】第１のスイッチ操作部材１５３は、通電投入位置側から通電遮断位置側へと付勢されるとともに常時には非投入位置に置かれ、モード切替部材１６５が第１の駆動モード側に置かれたときには、手指による投入位置への投入操作が許容され、モード切替部材１６５が第２の駆動モード側に置かれたときには、投入位置に固定される。第２のスイッチ操作部材１５５は、通電と遮断を制御するべく手指による投入操作が可能であり、モード切替部材１６５が第１の駆動モード側に置かれているときには、当該投入操作による通電制御が行われないように設定され、モード切替部材１６５が第１の駆動モード側に置かれているときには、当該投入操作によって通電制御が行われるように設定されている。【選択図】図３
2008272880.tif 000002
【特許請求の範囲】
【請求項１】
工具ビットを長軸方向に直線状に駆動するモータと、
前記モータに対する通電と遮断を行う第１および第２のスイッチ操作部材と、
前記工具ビットを任意に駆動する第１の駆動モードと、前記工具ビットを連続的に駆動する第２の駆動モードとの間でモードの切り替えを行なうモード切替部材と、を有し、
前記第１のスイッチ操作部材は、前記モータに電流を通電する投入位置と、前記通電を遮断する非投入位置との間で移動可能とされるとともに、常時には投入位置側から非投入位置側へと付勢されて当該非投入位置に置かれ、前記モード切替部材が第１の駆動モード側に置かれたときには、手指による投入位置への投入操作が許容され、前記モード切替部材が第２の駆動モード側に置かれたときには、投入位置に機械的に固定され、
前記第２のスイッチ操作部材は、前記モータに対する通電と遮断を制御するべく手指による投入操作が可能であって、前記モード切替部材が第１および第２の駆動モードのいずれの側に置かれていても投入操作が許容されており、前記モード切替部材が第１の駆動モード側に置かれているときには、投入操作による前記モータの通電制御が行われないように設定され、前記モード切替部材が第２の駆動モード側に置かれているときには、投入操作による前記モータの通電制御が行われるように設定され、
前記モード切替部材が第１の駆動モードに置かれた状態では、前記第１のスイッチ操作部材の手指による投入操作に応じて前記モータの通電制御が行われ、前記モード切替部材が第２の駆動モードに置かれた状態では、前記第２のスイッチ操作部材の手指による投入操作に応じて前記モータの通電制御が行われるように構成されていることを特徴とする打撃工具。
【請求項２】
請求項１に記載の打撃工具であって、
前記第２のスイッチ操作部材は、初期位置と投入操作された投入位置との間での移動が可能とされ、常時には投入位置側から初期位置側に付勢されるとともに当該初期位置に置かれる構成とされ、
前記第２のスイッチ操作部材の投入位置への投入操作に連動して投入信号を出力する電気スイッチと、
前記電気スイッチから入力される投入信号に応じて前記モータに電流を通電する制御部と、を有し、
前記制御部は、前記モード切替部材が第２の駆動モードに置かれた状態では、前記電気スイッチから入力される投入信号の入力回数に応じて前記モータの通電制御を行うように構成されていることを特徴とする打撃工具。
【請求項３】
請求項２に記載の打撃工具であって、
前記制御部は、当該制御部に接続された電源部からの通電が遮断されたとき、第２の駆動モードでの前記電気スイッチの投入履歴を消去して初期状態に戻すリセット機能を有することを特徴とする打撃工具。
【請求項４】
請求項１〜３のいずれか１つに記載の打撃工具であって、
工具本体と、
前記工具本体の前記工具ビット長軸方向の一端部に連接される作業者が握るハンドグリップと、を有し、
前記ハンドグリップは、前記工具ビット長軸方向と交差する方向に延在するように配置されるとともに、前記工具本体に対し、延在方向の一端側が回動軸を介して前記工具ビットの長軸方向に相対回動自在に連接され、延在方向の他端側が弾性体を介して前記工具本体に連接されており、
前記モード切替部材は、前記工具本体側に装着されており、
前記第１のスイッチ操作部材は、前記ハンドグリップ側に装着されるとともに、手指による引き操作で投入位置に移動され、引き操作の解除に伴い非投入位置に戻されるトリガによって構成されており、
前記トリガは、前記ハンドグリップの一端側における前記工具本体と前記ハンドグリップとの連接部位を通って前記工具本体側へと延在する連係部材と連結されており、
前記連係部材は、第１の駆動モード側から第２の駆動モード側へと移動される前記モード切替部材の移動動作に連動して前記トリガを投入位置へと移動させるとともに、当該投入位置に固定する構成としたことを特徴とする打撃工具。
【請求項５】
請求項４に記載の打撃工具であって、
前記ハンドグリップは、前記トリガを収納可能な内部空間を有し、
前記トリガは、前記投入位置に固定された状態では前記内部空間に収納される構成としたことを特徴とする打撃工具。
【請求項６】
請求項１〜５のいずれか１つに記載の打撃工具であって、
前記工具ビットの駆動状態を表示する表示部を有することを特徴とする打撃工具。
【発明の詳細な説明】
【技術分野】
【０００１】
本発明は、工具ビットに打撃動作を行わせることにより、被加工材（コンクリート）に対しハンマ作業を遂行することが可能な打撃工具に関する。
【背景技術】
【０００２】
打撃工具である、例えば電動ハンマドリルを用いて作業をする場合において、工具ビットが長軸方向に打撃動作するハンマモードでのハンマ作業は、作業者の負担を軽減する観点からトリガを電源スイッチが投入状態（オン状態）とされる投入位置に固定できることが好ましく、一方、工具ビットが打撃動作と長軸回りの回転動作とを行うハンマドリルモードでのハンマドリル作業では、作業の性格上、トリガを投入位置に固定することなく作業者が自由に非投入位置と投入位置間で任意に操作できることが好ましい。このような要請に応える機構を備えた電動ハンマドリルは、例えば特開２００６−９５７号公報（特許文献１）に開示されている。
特許文献１に記載の電動ハンマドリルにおいては、モータを通電駆動するために２個の電気スイッチを有する。そしてモード切替部材がハンマモード側に置かれたときには、トリガが投入位置へと移動されて機械的に固定され、これにより一方の電気スイッチが投入状態とされる。この状態で、作業者がスイッチ操作部材を投入操作して他方の電気スイッチを投入状態とすると、モータが通電駆動される構成である。このときは、作業者はトリガを手指により投入位置に固定する（引き続ける）ことなく、モータを連続運転してハンマビットによるハンマ作業を連続的に行うことができる。
一方、モード切替部材がハンマドリルモード側に置かれたときには、スイッチ操作部材が他方の電気スイッチを投入状態とする投入位置へと移動されて機械的に固定される構成である。このときは、作業者はトリガを非投入位置と投入位置間で自由に操作し、モータを任意に駆動あるいは停止してハンマドリル作業を断続的に行うことができる。
【０００３】
特許文献１に記載の電動ハンマドリルでは、モードの切り替えを行うモード切替部材とスイッチ操作部材とを機械的に連結し、当該モード切替部材の操作に応じてスイッチ操作部材を投入位置に機械的に固定し、あるいは当該固定を解除する構成としている。しかしながら、モード切替部材とスイッチ操作部材を機械的に連結する構成では、多数の構成部品が必要となることから、構造が複雑化し、組み付けが面倒になる等の点で、なお改良の余地がある。
【特許文献１】特開２００６−９５７号公報
【発明の開示】
【発明が解決しようとする課題】
【０００４】
本発明は、かかる点に鑑み、工具ビットの駆動モードを切り替えることができる打撃工具において、モータの通電制御に関する合理的なスイッチ構造を構成するのに有効な技術を提供することを目的とする。
【課題を解決するための手段】
【０００５】
上記課題を達成するため、本発明に係る打撃工具の好ましい形態は、工具ビットを長軸方向に直線状に駆動するモータ、モータに対する通電と遮断を行う第１および第２のスイッチ操作部材、および工具ビットを任意に駆動する第１の駆動モードと工具ビットを連続的に駆動する第２の駆動モードとの間でモードの切り替えを行うモード切替部材を有する。なお、本発明における「第１の駆動モード」とは、モータを作業者の操作に応じて任意（断続的）に駆動することによって、工具ビットに打撃動作と回転動作とによるハンマドリル作業、打撃動作のみによるハンマ作業、あるいは回転動作のみによるドリル作業等を行わせる駆動モードがこれに該当する。また、本発明における「第２の駆動モード」とは、作業者によるスイッチ操作部材の投入操作を維持することなく、モータを連続的に駆動することによって、工具ビットに打撃動作のみによるハンマ作業を行わせる駆動モードがこれに該当する。
【０００６】
本発明の好ましい形態では、第１のスイッチ操作部材は、モータに電流を通電する投入位置と、通電を遮断する非投入位置との間で移動可能とされるとともに、常時には投入位置側から非投入位置側へと付勢されて当該非投入位置に置かれ、モード切替部材が第１の駆動モード側に置かれたときには、手指による投入位置への投入操作が許容され、モード切替部材が第２の駆動モード側に置かれたときには、投入位置に機械的に固定される構成とされる。一方、第２のスイッチ操作部材は、モータに対する通電と遮断を制御するべく手指による投入操作が可能であって、モード切替部材が第１および第２の駆動モードのいずれの側に置かれていても投入操作が許容されている。そして、第２のスイッチ操作部材は、モード切替部材が第１の駆動モード側に置かれているときには、投入操作によるモータの通電制御が行われないように設定され、モード切替部材が第２の駆動モード側に置かれているときには、投入操作によるモータの通電制御が行われるように設定される。なお、第２のスイッチ操作部材の手指による「手指による投入操作」とは、典型的には、押し操作がこれに該当するが、さらに引き操作や回転操作としてもよい。
そしてモード切替部材が第１の駆動モードに置かれた状態では、第１のスイッチ操作部材の手指による投入操作に応じてモータの通電制御が行われ、モード切替部材が第２の駆動モードに置かれた状態では、第２のスイッチ操作部材の手指による投入操作に応じてモータの通電制御が行われるように構成されている。
【０００７】
本発明では、第２のスイッチ操作部材は、手指を用いて投入操作する構成としている。そしてモード切替部材が第１の駆動モード側に置かれた状態では、第２のスイッチ操作部材は、手指による投入操作が行なわれても、モータに対する通電制御が行われないように設定されており、このときは、第１のスイッチ操作部材の投入操作によりモータの通電制御が行われる構成としている。第１のスイッチ操作部材は、投入位置側から非投入位置側へと付勢され、常時には非投入位置側に置かれるスイッチ操作部材である。したがって、第１の駆動モードでは、第１のスイッチ操作部材の手指による投入操作および非投入操作を適宜行うことによって、モータ（工具ビット）を断続的に駆動して、例えばハンマドリル作業、ハンマ作業あるいはドリル作業を行うことができる。
一方、モード切替部材が第２の駆動モード側に置かれた状態では、第１のスイッチ操作部材は、機械的に投入位置に固定される構成とし、このときは、第２のスイッチ操作部材の手指による投入操作によってモータに対する通電制御が行われる構成としている。したがって、第２の駆動モードでは、第２のスイッチ操作部材を投入操作することにより、モータ（工具ビット）を連続的に駆動してハンマ作業を行うことができる。この場合、第２のスイッチ操作部材の投入操作によるモータの通電制御は、当該第２のスイッチ操作部材から手指を離しても維持されるように構成される。
【０００８】
本発明によれば、第２のスイッチ操作部材は、手指による投入操作によってモータの通電制御を行う構成であり、モード切替部材に対する機械的なつながりが不要となる。このため、機械的な構成部材が少なくて済み、それにより構造の簡素化が図られるとともに、組付け性を向上する上で有効となる。また機械的な連結構造が無くなることによって機械的な摺動箇所も減少するため、ハンマ作業時あるいはハンマドリル作業時に発生する粉塵によるスイッチ操作に関する作動不良を防止する上で有効となる。また、本発明によれば、第１の駆動モードでは、第１のスイッチ操作部材を手指により操作することによってモータの通電制御を行い、また第２の駆動モードでは、第２のスイッチ操作部材を手指により操作することによってモータの通電制御を行なう構成としている。すなわち、第１および第２のスイッチ操作部材のいずれか一方を手指により操作することによって、モータの通電制御を行なう構成としたので、操作性が向上する。
【０００９】
本発明に係る打撃工具の更なる形態によれば、第２のスイッチ操作部材は、初期位置と投入操作された投入位置との間での移動が可能とされ、常時には投入位置側から初期位置側に付勢されるとともに当該初期位置に置かれる構成とされている。また、第２のスイッチ操作部材の投入位置への投入操作に連動して投入信号を出力する電気スイッチと、電気スイッチから入力される投入信号に応じてモータの通電を制御する制御部と、を有する。そして制御部は、モード切替部材が第２の駆動モードに置かれた状態では、電気スイッチから入力される投入信号の入力回数に応じてモータの通電制御を行うように構成される。なお、本発明における「入力回数に応じてモータの通電制御を行う」とは、典型的には、電気スイッチの奇数回目（例えば、一回目）の投入信号でモータが通電されるとともに、当該通電状態が偶数回目（例えば、二回目）の投入信号が入力されるまで維持される態様がこれに該当する。したがって、第２のスイッチ操作部材としては、投入位置へと投入操作後、手指を離すと元の初期位置（非投入位置）に戻る形式のスイッチ操作部材が採用される。本発明によれば、第２の駆動モードでは、電気スイッチの投入信号、すなわち第２のスイッチ操作部材の投入操作を制御部が読み込み、その入力回数に応じてモータの通電制御を行う構成であり、これにより第２の駆動モードでの第２のスイッチ操作部材の投入操作によってモータの通電制御を合理的に行うことができる。
【００１０】
本発明に係る打撃工具の更なる形態によれば、制御部は、当該制御部に接続された電源部からの通電が遮断されたとき、第２の駆動モードでの電気スイッチの投入履歴を消去して初期状態に戻すリセット機能を有する構成とした。このような構成とすることで、例えば、工具本体側のコードをコンセントから引き抜いた後、再び差し込むといった行為を行ったときのモータの再起動を防止できる。
【００１１】
本発明に係る打撃工具の更なる形態によれば、工具本体と、工具本体の工具ビット長軸方向の一端部に連接される作業者が握るハンドグリップとを有する。ハンドグリップは、工具ビット長軸方向と交差する方向に延在するように配置されるとともに、工具本体に対し、延在方向の一端側が回動軸を介して工具ビットの長軸方向に相対回動自在に連接され、延在方向の他端側が弾性体を介して工具本体に連接されている。なお「弾性体」とは、典型的には、バネやゴムがこれに該当する。モード切替部材は、工具本体側に装着されている。一方、第１のスイッチ操作部材は、手指による引き操作で投入位置に移動され、引き操作の解除に伴い非投入位置に戻されるトリガによって構成されている。トリガは、ハンドグリップの一端側における工具本体とハンドグリップとの連接部位を通って工具本体側へと延在する連係部材と連結されている。そして連係部材は、第１の駆動モード側から第２の駆動モード側へと移動されるモード切替部材の移動動作に連動してトリガを投入位置へと移動させるとともに、当該投入位置に固定する構成とした。
【００１２】
本発明によれば、上記のように、トリガに連結された連係部材を、工具本体とハンドグリップとの連接部位を通って工具本体側へと延在し、モード切替部材が第２の駆動モード側に置かれたとき、連係部材がモード切替部材に連動してトリガを投入位置へと移動させるとともに、当該投入位置に固定する構成としたものである。これにより、防振構造のハンドグリップ、すなわち延在方向一端側においては、回動軸を介して工具ビット長軸方向に相対回動自在に連接し、延在方向他端側においては、例えばバネやゴム等の弾性体を介して少なくとも工具ビットの長軸方向（打撃動作方向）に相対移動可能に連接した構成のハンドグリップを有する打撃工具への適用が可能となる。
【００１３】
本発明に係る打撃工具の更なる形態によれば、ハンドグリップは、トリガを収納可能な内部空間を有し、トリガは投入位置に固定された状態では内部空間に収納される構成とした。このような構成によれば、第２の駆動モードでのハンマ作業時において、作業者がハンドグリップを把持して工具本体を操作するとき、トリガがハンドグリップを把持する手指に対し邪魔にならない。これにより、ハンドグリップを把持してハンマ作業を行う際の操作性を向上することができる。
【００１４】
本発明に係る打撃工具の更なる形態によれば、工具ビットの駆動状態を表示する表示部を有する。なお、本発明における「駆動状態を表示する」とは、典型的には、工具ビットの駆動モードが、第１の駆動モードと第２の駆動モードのいずれの側にあるか、また、第２の駆動モード側にある場合には、第２のスイッチ操作部材が投入位置側と非投入位置側のいずれの側に置かれているかの、各動作状況を作業者が視覚によって判別できるように表示する態様がこれに該当する。また、表示の態様としては、典型的には、単一または複数の発光ダイオードあるいは白熱灯等のライトによる表示がこれに該当し、ライトの点灯、消灯、点滅、あるいは点灯した際の色彩の変化による表示等、の各態様を好適に包含する。
【発明の効果】
【００１５】
本発明によれば、工具ビットの駆動モードを切り替えることができる打撃工具において、モータの通電制御に関する合理的なスイッチ構造を構成するのに有効な技術が提供されることとなった。
【発明を実施するための最良の形態】
【００１６】
以下、本発明の実施形態につき、図１〜図８を参照して説明する。本実施の形態は、打撃工具の一例として電動ハンマドリルを用いて説明する。図１には電動ハンマドリルの全体構成が示され、図２には電動ハンマドリルの主要部の構成が示されている。図１に示すように、本実施の形態に係る電動ハンマドリル１０１は、概括的に見て、電動ハンマドリル１０１の外郭を形成する本体部１０３、当該本体部１０３の長軸方向における一端領域（図示左側）に接続されたツールホルダ１１７、当該ツールホルダ１１７に着脱自在に取付けられたハンマビット１１９、本体部１０３の長軸方向における他端部（図示右側）に連接された作業者が握るハンドグリップ１０９を主体として構成される。本体部１０３は、本発明における「工具本体」に対応し、ハンマビット１１９は、本発明における「工具ビット」に対応する。なお、ハンマビット１１９は、ツールホルダ１１７に対し、その長軸方向（本体部１０３の長軸方向）への相対的な往復動が可能に、かつその周方向への相対的な回動が規制された状態で保持される。なお、説明の便宜上、ハンマビット１１９側を前、ハンドグリップ１０９側を後という。
【００１７】
本体部１０３は、駆動モータ１１１を収容したモータハウジング１０５と、運動変換機構１１３、打撃要素１１５、および動力伝達機構１４１を収容したギアハウジング１０７とを主体として構成されている。駆動モータ１１１は本発明における「モータ」に対応する。駆動モータ１１１は、回転軸が本体部１０３の長軸方向（すなわち、ハンマビット長軸方向）と概ね直交する縦方向（図１において上下方向）となるように配置される。駆動モータ１１１の回転出力は、運動変換機構１１３によって直線運動に適宜変換された上で打撃要素１１５に伝達され、当該打撃要素１１５を介してハンマビット長軸方向（図１における左右方向）への衝撃力を発生する。また、駆動モータ１１１の回転出力は、動力伝達機構１４１によって適宜減速された上でハンマビット１１９に回転力として伝達され、当該ハンマビット１１９が周方向に回転動作される。
【００１８】
ハンドグリップ１０９は、ハンマビット長軸方向と交差する上下方向に延在された側面視で概ねコの字形に形成されるとともに、上下方向の一端（下端）側が回動軸１８３を介してモータハウジング１０５の後端下部に前後方向に回動可能に連接され、他端（上端）側が振動吸収用のコイルバネ１８５を介してモータハウジング１０５の後端上部に連接されている。コイルバネ１８５は、本発明における「弾性体」に対応する。これによって、本体部１０３からハンドグリップ１０９への振動の伝達が低減される構成とされる。すなわち、本実施の形態に係る電動ハンマドリル１０１は、防振構造のハンドグリップ１０９を備えている。
【００１９】
図２に示すように、運動変換機構１１３は、駆動モータ１１１の回転運動を直線運動に変換して打撃要素１１５に伝達するものであり、駆動モータ１１１によって駆動されるクランク軸１２１、クランクアーム１２３、ピストン１２５等からなるクランク機構によって構成される。ピストン１２５は、いわゆる打撃要素１１５を駆動する駆動子を構成するものであり、シリンダ１２７内をハンマビット長軸方向と同方向に摺動可能とされる。
【００２０】
打撃機構１１５は、シリンダ１２７のボア内壁に摺動自在に配置されてピストン１２５の摺動動作により当該シリンダボア内の空気バネの作用を介して直線状に駆動される打撃子としてのストライカ１２９と、ツールホルダ１１７に摺動自在に配置されるとともに、ストライカ１２９の運動エネルギをハンマビット１１９に伝達する中間子としてのインパクトボルト１３１を主体として構成される。
【００２１】
一方、ツールホルダ１１７は、回転可能に構成され、駆動モータ１１１から動力伝達機構１４１を介して回転される構成とされる。図２に示すように、動力伝達機構１４１は、駆動モータ１１１によって回転駆動される中間ギア１３３と、中間軸１３５と、中間軸１３５と共に回転する第１ベベルギア１３７と、当該第１ベベルギア１３７と噛み合い係合し、本体部１０３の長軸回りに回転する第２ベベルギア１３９等からなり、駆動モータ１１１の回転をツールホルダ１１７に伝達し、更には当該ツールホルダ１１７に保持されたハンマビット１１９へと伝達する。
【００２２】
また、中間ギア１３３と中間軸１３５との間には、駆動モータ１１１の回転出力をハンマビット１１９に伝達あるいは遮断するクラッチ部材１４３が介装されている。クラッチ部材１４３は、中間軸１３５に対し周方向に固定された状態で軸方向には摺動可能に取り付けられており、当該中間軸１３５に沿って摺動することで、中間ギア１３３のクラッチ歯と噛み合い係合する動力伝達状態と、当該噛み合い係合が解除される動力遮断状態との間で切り替えられる。図２には動力伝達状態が示される。
【００２３】
クラッチ部材１４３の切り替え動作は、ハンマビット１１９の駆動モードを切り替えるモード切替ダイヤル１６５の操作によって行なわれる。モード切替ダイヤル１６５は、本発明における「モード切替部材」に対応する。モード切替ダイヤル１６５は、モータハウジング１０５の外側に水平面内での回動操作可能に取り付けられており、その回動操作によって本体部１０３（ギアハウジング１０７）の内部空間に配置された便宜上図示を省略するクラッチ切替機構が動作し、クラッチ部材１４３を中間軸１３５に沿って摺動させ、動力伝達状態あるいは動力遮断状態に切り替える。
【００２４】
なお、本実施の形態においては、便宜上図示を省略するが、本体部１０３の外側表面には、モード切替ダイヤル１６５の周方向において、第１ハンマモード位置、第２ハンマモード位置、ハンマドリルモード位置を示す目印が設定されている。すなわち、モード切替ダイヤル１６５は、少なくともハンマビット１１９に打撃動作のみを行わせる第１ハンマモード、第２ハンマモード、およびハンマビット１１９に打撃動作と回転動作とを行わせるハンマドリルモード間でモードの切り替え（選択）が可能とされている。
【００２５】
そして、モード切替ダイヤル１６５が第１ハンマモード位置あるいは第２ハンマモード位置へと回動操作されたときには、クラッチ部材１４３が動力遮断状態とされる。この状態で駆動モータ１１１が通電駆動されると、運動変換機構１１３のみが駆動される。駆動モータ１１１の回転出力は、運動変換機構１１３に伝達され、当該運動変換機構１１３のピストン１２５がシリンダ１２７のボア内で往復直線運動を行う。ピストン１２５が直線運動を行うと、それに伴い当該ピストン１２５からストライカ１２９、インパクトボルト１３１を経てハンマビット１１９が打撃動作を行う。このように、クラッチ部材１４３が動力遮断状態に置かれた第１ハンマモードまたは第２ハンマモードでは、ハンマビット１１９が打撃動作（ハンマ動作）のみを行い、被加工材（コンクリート）にハンマ作業を遂行する。
【００２６】
一方、モード切替ダイヤル１６５がハンマドリル位置へと回動操作されたときには、クラッチ部材１４３が動力伝達状態とされる。この状態で駆動モータ１１１が通電駆動されると、運動変換機構１１３に加えて動力伝達機構１４１が駆動する。駆動モータ１１１の回転出力は、中間ギア１３３、クラッチ部材１４３、中間軸１３５、第１および第２ベベルギア１３７，１３９を介してツールホルダ１１７およびこのツールホルダ１１７にて保持されるハンマビット１１９に伝達される。かくして、クラッチ部材１４３が動力伝達状態に置かれたハンマドリルモードでは、ハンマビット１１９が軸方向の打撃動作と周方向の回転動作（ドリル動作）を行い、被加工材（コンクリート）にハンマドリル作業を遂行する。
【００２７】
駆動モータ１１１は、概括的には、トリガ状の第１スイッチ１５３によって動作される第１電気スイッチ１５１、第２スイッチ１５５によって動作される第２電気スイッチ１７５、およびモード切替ダイヤル１６５（実質的には、後述するスライドプレート１６７）によって動作される第３電気スイッチ１７７によって通電制御されるように構成される。なお、第１〜第３電気スイッチ１５１，１７５，１７７は、それぞれ常時にオフ状態へと付勢される自動復帰式スイッチである。第１電気スイッチ１５１は、図３および図４に示すように、本体部１０３内の後端領域（ハンドグリップ１０９との対向領域）において、駆動モータ１１１を制御するコントローラ１１２に近接状に配置されている。第２電気スイッチ１７５は、第１電気スイッチ１５１の上方位置に配置されている。さらに第３電気スイッチ１７７は、モード切替ダイヤル１６５の近傍に配置されている。なお、上記の第１〜第３電気スイッチ１５１，１７５，１７７による駆動モータ１１１の通電制御の詳細については、後述する。
【００２８】
次に駆動モータ１１１（ハンマビット１１９）を駆動・停止を操作する操作部（スイッチ構造）につき、図３〜図８を主体にして説明する。図３および図４には操作部が拡大断面図として示される。図５および図６はそれぞれ図３のＸ−Ｘ線断面図であり、図７は図３のＹ−Ｙ線断面図である。図８はモータの制御回路図である。
【００２９】
ハンドグリップ１０９側には、第１電気スイッチ１５１をオン／オフ操作するためのトリガ状の第１スイッチ１５３が設けられ、本体部１０３側には、第２電気スイッチ１７５をオン／オフ操作するためのレバー状の第２スイッチ１５５が設けられている。トリガ状の第１スイッチ１５３は、本発明における「第１のスイッチ操作部材」に対応し、レバー状の第２スイッチ１５５は、本発明における「第２のスイッチ操作部材」に対応する。第１スイッチ１５３と第２スイッチ１５５は、ハンマビット長軸方向（本体部１０３の長軸方向）、すなわち前後方向において、互いに対向するように配置されている。
【００３０】
第１スイッチ１５３は、中空状をなすハンドグリップ１０９の内部空間に配置されている。第１スイッチ１５３は、ハンドグリップ１０９の延在方向（上下方向）に沿って延在されるとともに、当該延在方向の概ね中央部において取付軸１５４によってハンドグリップ１０９に前後方向に回動自在に装着されている。第１スイッチ１５３は、第１電気スイッチ１５１をオフ状態とするオフ位置（非投入位置）と、作業者の手指により上部側を引き操作されることによって第１電気スイッチ１５１をオン状態とするオン位置（投入位置）との間での回動操作が可能とされ、常時には便宜上図示を省略するスプリングによってオン位置からオフ位置へと付勢されている。したがって、第１スイッチ１５３の上部側は、引き操作されていないときは、ハンドグリップ１０９の前面開口部から前方へと突出するオフ位置に保持され（図４参照）、手指により引き操作されたオン位置では、ハンドグリップ１０９の内部空間に収納されてグリップ前面の外側表面と概ね面一となるように設定されている（図３参照）。
【００３１】
第１スイッチ１５３は、ハンドグリップ１０９の内部空間を下方へと延在されるとともに、その延在端部が本体部１０３とハンドグリップ１０９とをつなぐ下部連接領域１０９ａの内部空間に配置された連結ロッド１６３の一端（後端）と相対回動自在に連結されている。連結ロッド１６３は下部連接領域１０９ａの内部空間を通って本体部側（前方）に延在されるとともに、その延在端部（前端）が本体部１０３側に配置されたスイッチレバー１５９の先端（下端）に回動自在に連結されている。下部連接領域１０９ａは、本発明における「連接部位」に対応し、連結ロッド１６３は、本発明における「連係部材」に対応する。
【００３２】
スイッチレバー１５９は、第１電気スイッチ１５１を作動するスイッチ作動部材として備えられ、ハンマビット長軸方向と交差する上下方向（第１スイッチ１５３と概ね平行な方向）に延在するとともに、本体部１０３に取付軸１６１を支点にして前後方向に回動自在に装着されている。そして第１スイッチ１５３が、手指によりオン位置へと回動操作されると、当該第１スイッチ１５３の回動動作が連結ロッド１６３を介してスイッチレバー１５９に伝達され、当該スイッチレバー１５９が第１電気スイッチ１５１の動作突起１５１ａを押し、これにより第１電気スイッチ１５１がオン状態となるように構成されている。
【００３３】
また、スイッチレバー１５９は、上方へと延在されている。スイッチレバー１５９の延在側にモード切替ダイヤル１６５の回動操作によってハンマビット長軸方向（前後方向）へと直線状にスライド動作されるスライドプレート１６７が配置されている。スライドプレート１６７は、第１スイッチ１５３をオン位置に機械的に固定するスイッチ固定部材を構成するものであり、モード切替ダイヤル１６５が第１ハンマモード位置に置かれたときに後方（図３および図４において右側）へと移動され、モード切替ダイヤル１６５がハンマドリルモード位置または第２ハンマモード位置に置かれたときに前方へと移動される。そして後方への移動時にスイッチレバー１５９の上端部１５９ａを後方へ押すように構成される。上端部１５９ａを押されたスイッチレバー１５９は、第１電気スイッチ１５１をオン状態とする方向に回動される。このスイッチレバー１５９の回動動作は、連結ロッド１６３を介して第１スイッチ１５３に伝達される。すなわち、モード切替ダイヤル１６５が第１ハンマモード位置に置かれたときには、第１スイッチ１５３が第１電気スイッチ１５１をオン状態とするオン位置へ回動されるとともに、当該オン位置に機械的に固定されるように構成されている。この状態が図３に示される。モード切替ダイヤル１６５が第２ハンマモード位置またはハンマドリルモード位置に置かれ、スライドプレート１６７が前方へ移動されたときには、当該スライドプレート１６７による第１スイッチ１５３の固定が解除される。この状態が図４に示される。第１ハンマモードは、本発明における「第２の駆動モード」に対応し、ハンマドリルモードおよび第２ハンマモードは、本発明における「第１の駆動モード」に対応する。
【００３４】
図５および図６に示すように、スライドプレート１６７には、平面視で略方形状の開口１６７ａが形成され、この開口１６７ａにモード切替ダイヤル１６５に設けた板カム１６９が係合されている。スライドプレート１６７は、本体部側に設けたスライドガイド１６８によってハンマビット長軸方向と同方向にのみ移動することが可能とされる。そしてスライドプレート１６７は、モード切替ダイヤル１６５がハンマドリルモード位置または第２ハンマモード位置から第１ハンマモード位置へと回動操作されたときには、当該モード切替ダイヤル１６５とともに回動される板カム１６９により開口１６７ａのハンマビット長軸方向と交差する方向の壁面を押されて後方に移動され（図５参照）、モード切替ダイヤル１６５が第１ハンマモード位置からハンマドリルモード位置または第２ハンマモード位置へと回動操作されたときには、戻しバネ１６６で押されることで前方に移動されるように構成されている（図６参照）。なお、図６ではハンマドリルモード時の板カム１６９の位置が実線で示され、第２ハンマモード時の板カム１６９の位置が二点鎖線で示される。
【００３５】
また、モード切替ダイヤル１６５がハンマドリルモード位置および第２ハンマモード位置に置かれたときに、スライドプレート１６７が第３電気スイッチ１７７の動作突起１７７ａに当接し、モード切替ダイヤル１６５が第１ハンマモード位置に置かれたときに、スライドプレート１６７が第３電気スイッチ１７７の動作突起１７７ａから離間する構成とされる。すなわち、第３電気スイッチ１７７は、スライドプレート１６７で押されることでオン状態とされ、スライドプレート１６７が離れることでオフ状態とされる。
【００３６】
一方、第２スイッチ１５５は、図３および図４に示すように、その上端部が、本体部１０３に対する取付軸１５７を中心として前後方向に回動自在に支持されるとともに、下方に向って延在されている。第２スイッチ１５５は、第２電気スイッチ１７５をオフ状態とする初期位置としてのオフ位置（非投入位置）と、オン状態とするオン位置（投入位置）との間での手指による回動操作が可能とされる。第２スイッチ１５５は、前面側が開口する断面略Ｕ字形の上下方向に縦長状に形成されるとともに、手指により前方へ押されることでオン位置に回動され、常時にはスプリング１５６によりオフ位置に保持される。第２電気スイッチ１７５は、第２スイッチ１５５の手指による押し操作によって動作突起１７５ａを押されることでオン状態とされ、第２スイッチ１５５による押し操作が解除される（手指を離す）ことでオフ状態とされる。
【００３７】
図８には駆動モータ１１１に対する電流の通電／遮断を制御するモータ制御回路が示される。図示のように、駆動モータ１１１の駆動回路１７１には、電源オン／オフ用としての第１電気スイッチ１５１および半導体スイッチ１７３が直列に設けられている。第１電気スイッチ１５１は、第１スイッチ１５３の操作によりオン／オフ動作される。半導体スイッチ１７３は、コントローラ１１２からの制御信号に基づきオン／オフ動作される。これら第１電気スイッチ１５１と半導体スイッチ１７３がオン／オフ動作されることによって、電源１７２から供給される電流を駆動モータ１１１に通電あるいは遮断する構成とされる。
【００３８】
コントローラ１１２には、第２電気スイッチ１７５と第３電気スイッチ１７７がそれぞれに接続されており、第２スイッチ１５５の操作による第２電気スイッチ１７５のオン／オフ信号と、モード切替ダイヤル１６５の回動操作により選択された第３電気スイッチ１７７のモード検出信号（モード判別信号）が入力される。コントローラ１１２は、第２電気スイッチ１７５から入力されるオン／オフ信号と、第３電気スイッチ１７７から入力されるモード検出信号に基づき駆動部１７９を介して半導体スイッチ１７３のオン／オフを制御する構成とされる。第２電気スイッチ１７５は、本発明における「電気スイッチ」に対応し、コントローラ１１２は、本発明における「制御部」に対応する。
【００３９】
コントローラ１１２は、第３電気スイッチ１７７から入力されるモード検出信号に基づいて、第２スイッチ１５５の操作による第２電気スイッチ１７５のオン／オフ信号を有効、または無効とするように設定されている。すなわち、モード切替ダイヤル１６５の回動操作によって第１ハンマモードが選択され、第３電気スイッチ１７７からオフ信号が入力された場合には、コントローラ１１２は、第２スイッチ１５５の操作による第２電気スイッチ１７５のオン／オフ信号によって半導体スイッチ１７３のオン／オフを制御するように設定されている。つまり、第１ハンマモード選択時には第２スイッチ１５５のオン／オフ操作を有効とする。また、第１ハンマモードの選択時にはコントローラ１１２は、第２スイッチ１５５がオン／オフ操作されたとき、第２電気スイッチ１７５のオン信号数（第２スイッチ１５５の押し操作回数）をカウントし、奇数回目のときには半導体スイッチ１７３をオン動作させ、偶数回目のときには半導体スイッチ１７３をオフ動作させるように構成されている。例えば、第２スイッチ１５５の１回目の投入操作では、半導体スイッチ１７３がオン動作され、当該オン状態が２回目の投入操作が行われるまで維持される。
一方、ハンマドリルモードまたは第２ハンマモードが選択され、第３電気スイッチ１７７からオン信号が出力されたときには、コントローラ１１２は、第２電気スイッチ１７５を電気的にオン状態に固定し、半導体スイッチ１７３をオン動作する。つまり、ハンマドリルモードまたは第２ハンマモードの選択時には、第２スイッチ１５５の操作による第２電気スイッチ１７５のオン／オフ信号を無効とし、第２スイッチ１５５の投入操作による駆動モータ１１１の通電制御を禁止する。
【００４０】
なお、コントローラ１１２に対する通電は、当該コントローラ１１２に接続された電源部１７８を介して行われる。電源部１７８は、第１電気スイッチ１５１に直列に接続されており、当該第１電気スイッチ１５１のオン／オフ動作に基づき通電が制御される。そして、コントローラ１１２は、電源部１７８からの通電が遮断されたとき、すなわち第１電気スイッチ１５１がオフ動作されたとき、ハンマドリルモードおよび第２ハンマモードでの第２電気スイッチ１７５のオン／オフ信号の投入履歴（第２スイッチ１５５の操作回数）を消去して初期状態に戻すリセット機能を有するように設定されている。このため、例えば、電源１７２のオン／オフ、つまり本体部側のコードをコンセントから引き抜いた後、再び差し込むといった行為を行ったときの駆動モータ１１１の再起動を防止することが可能となる。
【００４１】
また、図７に示すように、本体部１０３には、第２スイッチ１５５の下方位置に、動作状況を表示する動作状況表示部１８１が設けられている。動作状況表示部１８１は、本発明における「表示部」に対応する。動作状況表示部１８１は、例えば、発光ダイオード（ＬＥＤ）、白熱球等で表示灯を照光することで、電動ハンマドリル１０１の動作状況を確認できるように構成される。本実施の形態では、モード切替ダイヤル１６５によって第１ハンマモードが選択されたときには、無灯、つまり消灯とし、ハンマモードまたは第２ハンマモードが選択された状態（第１スイッチ１５３がオン位置に機械的に固定された状態）において、半導体スイッチ１７３がオン状態のときには、例えば赤色の発光ダイオードが点灯し、半導体スイッチ１７３がオフ状態のときには、例えば青色の発光ダイオードが点灯するように構成されている。
【００４２】
次に、上記のように構成された電動ハンマドリル１０１の作用を説明する。図３はモード切替ダイヤル１６５の回動操作によって第１ハンマモードが選択された状態を示す。モード切替ダイヤル１６５が第１ハンマモード位置に回動操作されると、板カム１６９によってスライドプレート１６７が後方へと移動される。すると、図５に示すように、スライドプレート１６７が第３電気スイッチ１７７から離れ、当該第３電気スイッチ１７７がオフ状態とされ、コントローラ１１２にオフ信号を出力する。コントローラ１１２は、第３電気スイッチ１７７からオフ信号が入力されると、その後で第２電気スイッチ１７５から入力されるオン／オフ信号を有効とする。また、スライドプレート１６７が後方へと移動されると、当該スライドプレート１６７の後端部によりスイッチレバー１５９の上端部１５９ａが押され、当該スイッチレバー１５９が取付軸１６１を中心として図５において右回りに回動され、第１電気スイッチ１５１をオン状態とする。この回動動作は、連結ロッド１６３を介して第１スイッチ１５３に伝達され、当該第１スイッチ１５３がオン位置へと回動されるとともに、当該オン位置に固定される。
すなわち、第１ハンマモードの選択時には、第１スイッチ１５３が第１電気スイッチ１５１をオン状態とするオン位置に機械的に固定された状態（トリガロックオンモード）となるとともに、第２電気スイッチ１７５から入力されるオン／オフ信号を有効とする。
【００４３】
したがって、この状態で第２スイッチ１５５を手指で前方に押すと、当該第２スイッチ１５５が取付軸１５７を回動中心としてオン位置へと回動され、第２電気スイッチ１７５の動作突起１７５ａを押す。これにより第２電気スイッチ１７５がオン状態となり、オン信号をコントローラ１１２に出力する。コントローラ１１２は、第２電気スイッチ１７５から入力されるオン信号に基づき駆動部１７９を介して半導体スイッチ１７３をオン動作させる。このため、駆動モータ１１１の駆動回路１７１が閉回路となり、駆動モータ１１１に通電駆動される。第１ハンマモードでは、動力伝達機構１４１のクラッチ部材１４３が動力遮断状態に切り替えられているため、ハンマビット１１９は打撃動作のみによるハンマ作業を行う。そして半導体スイッチ１７３のオン動作は、前述したように、第２電気スイッチ１７５から２回目のオン信号が入力されるまで維持される。つまり、第２スイッチ１５５から手指を離しても維持されるため、作業者は第２スイッチ１５５の押し操作を続けることなく、駆動モータ１１１を連続的に通電駆動し、被加工材に対してハンマビット１１９の打撃動作によるハンマ作業を連続的に行うことができる。
【００４４】
次に、図４はモード切替ダイヤル１６５の回動操作によってハンマドリルモードまたは第２ハンマモードが選択された状態を示す。モード切替ダイヤル１６５がハンマドリルモードまたは第１ハンマモード位置に回動操作されると、戻しバネ１６６によってスライドプレート１６７が前方へと移動される。すると、図６に示すように、当該スライドプレート１６７がスイッチレバー１５９の上端部１５９ａから離れる方向へと移動する。このため、第１スイッチ１５３の機械的固定が解除され、当該第１スイッチ１５３およびスイッチレバー１５９がスプリングの付勢力によってオフ位置に戻される。このとき、スイッチレバー１６９は、その先端が第１電気スイッチ１５１の動作突起１５１ａから離間する方向へと移動するので、第１電気スイッチ１５１がオフ状態となる。また、前方へと移動するスライドプレート１６７は、その移動端部において、第３電気スイッチ１７７の動作突起１７７ａを押す。これにより第３電気スイッチ１７７がオン状態となる。
【００４５】
この状態において、作業者が手指により第１スイッチ１５３をスプリングの付勢力に抗してオン位置へ引き操作すると、連結ロッド１６３を介してスイッチレバー１５９が取付軸１６１を中心として図６において右回りに回動し、第１電気スイッチ１５１の動作突起１５１ａを押す。これにより第１電気スイッチ１５１がオン状態となり、電源部１７９を介してコントローラ１１２が通電する。すると、コントローラ１１２には第３電気スイッチ１７７からオン信号が入力されているため、コントローラ１１２は、当該オン信号に基づき第２電気スイッチ１７５を電気的にオン状態に固定し、半導体スイッチ１７３をオン動作させる。このため、駆動モータ１１１の駆動回路１７１が閉回路となり、駆動モータ１１１が通電駆動される。そしてハンマドリルモードが選択されている場合には、動力伝達機構１４１のクラッチ部材１４３が動力伝達状態に切り替えられているため、ハンマビット１１９は打撃動作と回転動作とによるハンマドリル作業を行う。第２ハンマモードが選択されている場合には、動力伝達機構１４１のクラッチ部材１４３が動力遮断状態に切り替えられているため、ハンマビット１１９は打撃動作によるハンマドリル作業を行う。手指による第１スイッチ１５３の引き操作を解除すれば、第１スイッチ１５３は、図示省略のスプリングの付勢力によってオフ位置に戻され、それに連動してスイッチレバー１５９も第２電気スイッチ１５１をオフ状態とする位置に戻る。
すなわち、ハンマドリルモードまたは第２ハンマモードでは、作業者は第１スイッチ１５３をオン位置とオフ位置間で自由に操作して自由に操作し、ハンマビット１１９を任意に駆動あるいは停止して被加工材にハンマドリル作業またはハンマ作業を断続的に行うことができる。
なお、第３電気スイッチ１７７からオン信号が出力されている状態では、コントローラ１１２は、第２スイッチ１５５の操作による第２電気スイッチ１７５のオン・オフ信号を無効とし、第２スイッチ１５５の投入操作による駆動モータ１１１の通電制御を禁止するため、第２スイッチ１５５が不用意にオン／オフ操作されても半導体スイッチ１７３のオン状態が維持される。
【００４６】
以上のように、本実施の形態においては、第１ハンマモードでは、第１電気スイッチ１５１を機械的にオン位置に固定し、この状態で第２スイッチ１５５の操作による第２電気スイッチ１７５のオン／オフ信号に基づきコントローラ１１２によって駆動モータ１１１の通電制御を行う構成としている。一方、ハンマドリルモードまたは第２ハンマモードでは、第２電気スイッチ１７５を電気的にオン位置に固定して第２スイッチ１７５の操作を無効とし、この状態で第１スイッチ１５３による第１電気スイッチ１５１のオン／オフ操作によって駆動モータ１１１の通電制御を行う構成としている。このような構成とすることで、第２電気スイッチ１７５を操作する第２スイッチ１５５については、モード切替ダイヤル１６５との機械的なつながりを不要とすることができる。その結果、駆動モータ１１１の通電制御を行うスイッチ構造につき、機械的な構成部材が少なくて済み、構造の簡素化が図られるとともに、それに伴い組付け性も向上することになる。また機械的な連結構造が無くなることによって機械的な摺動箇所も減少するため、ハンマ作業あるいはハンマドリル作業時に発生する粉塵によるスイッチ操作に関する作動不良を防止する上で有効となる。
【００４７】
また、本実施の形態によれば、第１ハンマモードを選択した場合、またハンマドリルモードまたは第２ハンマモードを選択した場合のいずれにおいても、第１スイッチ１５３と第２スイッチ１５５のいずれか一方のみを手指により操作するだけで駆動モータ１１１の通電制御を行なうことができるため、操作性が向上する。また、第１スイッチ１５３と第２スイッチ１５５とを対向状に配置する構成としたので、片手での操作が可能となり、操作し易い。
【００４８】
また本実施の形態では、ハンドグリップ１０９の下部側において、本体部１０３とハンドグリップ１０９とをつなぐ下部連接領域１０９ａに連結ロッド１６３を配置し、当該連結ロッド１６３を介してハンドグリップ１０９側の第１スイッチ１５３と、本体部１０３側のスイッチレバー１５９とを連結させる構成としている。これにより、防振構造のハンドグリップ１０９、すなわち本体部１０３に対し下部連接領域１０９ａでは回動軸１８３を介して相対回動自在に連接し、上部連接領域１０９ｂではコイルバネ１８５を介して連接したハンドグリップ１０９を有するハンマドリルに適用することができる。
【００４９】
なお、上述した実施の形態は、第１の駆動モードとして、ハンマドリルモードと第２ハンマモードを有する場合で説明したが、更にハンマビット１１９に回転動作のみによるドリル作業を行わせるドリルモードを有する構成であっても構わない。また本実施の形態では、駆動モータ１１１の回転出力を直線運動に変換してストライカ１２９を駆動する機構として、クランク機構を用いた場合で説明したが、クランク機構に変えて、例えば駆動モータ１１１によって回転駆動される回転軸に、当該回転軸の軸線に対して所定の傾斜角度で傾斜した状態で揺動板（スワッシュプレート）を取り付け、回転軸の回転に基づき揺動板が回転軸の軸方向に揺動動作を行う構成の揺動機構を採用しても構わない。
また、本実施の形態では、第２スイッチ１５５を本体部１０３の後端部に配置したが、ハンドグリップ１０９の上部連接領域１０９ｂに配置してもよい。また、ハンドグリップ１０９は、非防振構造、すなわち本体部１０９に対しハンドグリップ１０９が固定状に連接される構成であってもよい。
【００５０】
なお、本発明の趣旨に鑑み、以下の態様を構成することが可能である。
（態様１）
「請求項２または３に記載の打撃工具であって、
前記モード切替部材が第１の駆動モードと第２の駆動モードのいずれの側にあるかを検出するモード検出部を有し、
前記制御部は、前記モード検出部から第１の駆動モードの検出信号が入力されたときには、前記電気スイッチから入力される投入信号を無効とすることで前記第２のスイッチ操作部材の投入操作による前記モータの通電制御を禁止し、前記モード検出部から第２の駆動モードの検出信号が入力されたときには、前記電気スイッチから入力される投入信号を有効とし、当該投入信号に基づいてモータの通電制御を行うように構成されていることを特徴とする打撃工具。」
態様１に記載の発明によれば、第１の駆動モードでは、第１のスイッチの投入操作に応じてモータの通電制御を行わせ、第２の駆動モードでは、第２のスイッチの投入操作に応じてモータに対する通電制御を行わせることが可能な打撃工具が提供される。
【００５１】
（態様２）
「請求項１〜６のいずれか１つまたは態様１に記載の打撃工具であって、
前記第２のスイッチ操作部材は、工具ビット長軸方向と交差する方向に延在されるとともに、延在方向の一端部において回動可能とされており、常時には投入位置側から初期位置側に向って付勢され、当該初期位置に保持される構成としたことを特徴とする打撃工具。」
態様２に記載の発明によれば、第２のスイッチ操作部材につき、押して離す、あるいは引いて離すといった簡単なクリック操作で投入操作を行うことができる。
【００５２】
（態様３）
「請求項４または５に記載の打撃工具であって、
前記第２のスイッチ操作部材は、前記ハンドグリップが連接される前記本体部の後部領域において、前記ハンドグリップに配置された前記第１のスイッチ操作部材と対向状に配置されていることを特徴とする打撃工具。」
態様３に記載の発明によれば、第１のスイッチ操作部材と第２のスイッチ操作部材を対向状に配置する構成としたことにより、それらスイッチ操作部材の片手での操作が可能となり、操作性が向上する。
【図面の簡単な説明】
【００５３】
【図１】本実施の形態に係る電動ハンマドリルの全体構成を示す断面図である。
【図２】電動ハンマドリルの主要部の構成を示す断面図である。
【図３】駆動モータの操作部を主体に示す断面図であり、モード切替ダイヤルが第１ハンマモード位置に置かれた状態を示す。
【図４】駆動モータの操作部を主体に示す断面図であり、モード切替ダイヤルがハンマドリルモード位置または第２ハンマモード位置に置かれた状態を示す。
【図５】図３のＸ−Ｘ線に基づく断面図であり、モード切替ダイヤルが第１ハンマモード位置に置かれた状態を示す。
【図６】図３のＸ−Ｘ線に基づく断面図であり、モード切替ダイヤルがハンマドリルモード位置または第２ハンマモード位置に置かれた状態を示す。
【図７】図３のＹ−Ｙ線に基づく断面図である。
【図８】駆動モータの制御回路図である。
【符号の説明】
【００５４】
１０１  電動ハンマドリル（打撃工具）
１０３  本体部（工具本体）
１０５  モータハウジング
１０７  ギアハウジング
１０９  ハンドグリップ
１０９ａ  下部連接領域
１１１  駆動モータ
１１２  コントローラ
１１３  運動変換機構
１１５  打撃要素
１１７  ツールホルダ
１１９  ハンマビット（工具ビット）
１２１  クランク軸
１２３  クランクアーム
１２５  ピストン
１２７  シリンダ
１２９  ストライカ
１３１  インパクトボルト
１３３  中間ギア
１３５  中間軸
１３７  第１ベベルギア
１３９  第２ベベルギア
１４１  動力伝達機構
１４３  クラッチ部材
１５１  第１電気スイッチ
１５１ａ  動作突起
１５３  第１スイッチ（第１のスイッチ操作部材）
１５４  取付軸
１５５  第２スイッチ（第２のスイッチ操作部材）
１５６  スプリング（付勢部材）
１５７  取付軸
１５９  スイッチレバー
１５９ａ  上端部
１６１  取付軸
１６３  連結ロッド
１６５  モード切替ダイヤル（モード切替部材）
１６６  戻しバネ
１６７  スライドプレート
１６７ａ  開口
１６８  スライドガイド
１６９  板カム
１７１  駆動回路
１７２  電源
１７３  半導体スイッチ
１７５  第２電気スイッチ
１７５ａ  動作突起
１７７  第３電気スイッチ
１７７ａ  動作突起
１７８  電源部
１７９  駆動部
１８１  動作状況表示部（表示部）
１８３  回動軸
１８５  コイルバネ
【図１】
2008272880.tif 000003
【図２】
2008272880.tif 000004
【図３】
2008272880.tif 000005
【図４】
2008272880.tif 000006
【図５】
2008272880.tif 000007
【図６】
2008272880.tif 000008
【図７】
2008272880.tif 000009
【図８】
2008272880.tif 000010